(57)【要約】【課題】シャフト着脱機構とクラブ長さの調整機構との組み合わせを、複雑な構造に依らずに実現しうるゴルフクラブの提供。【解決手段】ゴルフクラブ１００は、ホーゼル部２０２を有するヘッド２００と、シャフト３００と、逆テーパー係合部ＲＴとを備えている。逆テーパー係合部ＲＴは、シャフト３００の先端部に固定された逆テーパー形状のスリーブ４００と、このスリーブ４００の外側にはめ込まれたスペーサーとを含む。ホーゼル部２０２は、ホーゼル孔２０４と、このホーゼル孔２０４の側方に設けられ且つシャフト３００を通過させうるホーゼルスリット２０６とを有している。ホーゼル孔２０４が、逆テーパー係合部ＲＴの外面の形状に対応した逆テーパー孔２０５を有している。逆テーパー係合部ＲＴが、逆テーパー孔２０５にはめ込まれている。スペーサーの肉厚を変化させることで、クラブ長さが変化する。【選択図】図５
2018068848.tif 000002
【特許請求の範囲】
【請求項１】
ホーゼル部を有するヘッドと、シャフトと、このシャフトの先端部に配置された逆テーパー係合部とを備えており、
上記逆テーパー係合部が、上記シャフトの先端部に固定された逆テーパー形状のスリーブと、このスリーブの外側にはめ込まれたスペーサーとを含んでおり、
上記ホーゼル部が、ホーゼル孔と、このホーゼル孔の側方に設けられ且つ上記シャフトを通過させうるホーゼルスリットとを有しており、
上記ホーゼル孔が、上記逆テーパー係合部の外面の形状に対応した逆テーパー孔を有しており、
上記逆テーパー係合部が、上記逆テーパー孔にはめ込まれており、
上記スペーサーの肉厚を変化させることで、クラブ長さが変化するゴルフクラブ。
【請求項２】
上記スペーサーの上記肉厚の変化と共に、上記スペーサーの長さが変化している請求項１に記載のゴルフクラブ。
【請求項３】
上記逆テーパー係合部が、上記スリーブの後端に取り付けられうる少なくとも１つの延長スリーブを更に有しており、
上記延長スリーブが、上記スリーブの後端に取り付けられつつ、上記スペーサーの内側に嵌め込まれている請求項１又は２に記載のゴルフクラブ。
【請求項４】
上記延長スリーブの側面に凹みが設けられている請求項３に記載のゴルフクラブ。
【請求項５】
クラブ長さに関わらず、上記逆テーパー係合部の下端面の軸方向位置が同一である請求項４に記載のゴルフクラブ。
【請求項６】
上記延長スリーブとして、第１の延長スリーブ及び第２の延長スリーブを有しており、
上記ヘッドが、上記第１の延長スリーブ及び上記第２の延長スリーブを択一的に取り付け可能な延長スリーブポートを有している請求項３から５のいずれかに記載のゴルフクラブ。
【請求項７】
上記第２の上記延長スリーブが、上記第１の上記延長スリーブよりも長く、
上記第２の上記延長スリーブが、上記第１の上記延長スリーブよりも重い請求項６に記載のゴルフクラブ。
【発明の詳細な説明】
【技術分野】
【０００１】
本発明は、ゴルフクラブに関する。
【背景技術】
【０００２】
シャフトの着脱機構に、クラブ長さの調整機構が付加されたゴルフクラブが提案されている。
【０００３】
特開２０１０−２１３８５９号公報は、シャフトの先端に接着されたスペーサーと、ホーゼルの上端部にネジ結合されうる第１の螺子部材と、この第１の螺子部材とホーゼルの上端部との両者にネジ結合されうる第２の螺子部材とを有するゴルフクラブを開示する。
【０００４】
特開２０１４−３６８０９号公報は、シャフトの先端部に固着されたシャフトケースと、深さの異なる複数のスリットを有するスペーサーとを有するゴルフクラブを開示する。
【０００５】
米国特許公開公報ＵＳ２０１２／０１４２４４５は、シャフトスリーブの下端にリテーナーと結合でき且つシャフトスリーブとも結合できるスペーサーを設け、ホーゼル上部にはホーゼルスリーブが設けられたゴルフクラブを開示する。
【先行技術文献】
【特許文献】
【０００６】
【特許文献１】特開２０１０−２１３８５９号公報
【特許文献２】特開２０１４−３６８０９号公報
【特許文献３】米国特許公開公報ＵＳ２０１２／０１４２４４５
【発明の概要】
【発明が解決しようとする課題】
【０００７】
シャフトの着脱機構では、ネジを用いてスリーブが固定されている。ネジは、下方（ソール側）からスリーブに結合している場合もあるし、上方（グリップ側）からスリーブに結合している場合もある。
【０００８】
スイング時には、大きな遠心力がヘッドに作用する。加えて、打撃による強い衝撃力がヘッドに作用する。これらの遠心力及び衝撃力に耐えられるように、十分な強度を有するネジが必要である。十分な強度を有するネジの質量は大きい。このネジの質量は、ヘッドの軽量化を妨げる。このネジの質量は、ヘッドの重量配分の自由度を低下させる。このような着脱機構に、クラブ長さの調整機構を付加することで、軽量化は一層困難となる。このため、ヘッドの重量配分の自由度が低下し、ヘッドの設計自由度も低下する。
【０００９】
下方からネジでシャフトを固定するタイプのシャフト着脱機構では、クラブ長さの変化に伴いスリーブの位置が移動する。この場合、スリーブ位置の変化に対応するため、長いネジが必要となる。このため、ネジの重量が更に増加する。クラブ長さが大きくされたとき、スリーブが上方に位置する。この場合、ネジにおいてスリーブにネジ込まれていない部分が多くなる。ネジが長い上に、ネジ穴にネジ込まれていない部分が増加するため、ネジへの負荷がより大きくなる。この結果、強度及び耐久性が低下しやすい。
【００１０】
下方からネジでシャフトを固定するタイプのシャフト着脱機構においては、、角度調整機構を付加することも可能である。スリーブに設けられたシャフト孔を傾斜させることで、シャフト軸が傾斜する。シャフト軸が傾斜したスリーブの回転位置を変えることで、ロフト角、ライ角及びフェース角の調整が可能となる。シャフト軸の傾斜方向の変化が大きい場合、ネジの位置及び方向も大きく変化する。ネジの位置及び角度の変化が大きいと、ネジの頭部が当接する面が、ネジの意図及び角度の変化に追従できない。このため、ネジとスリーブとの間の同軸性が失われ、ネジ又はスリーブが曲がるような変形が強要される。この構成は、シャフト固定構造の強度及び耐久性を低下させうる。この問題に起因して、ネジの位置及び角度は制限される。換言すれば、ロフト角等の角度調整の度合いが制約される。そして、この角度調整機構と、上述のクラブ長さの調整機構とが組み合わされる場合、長いネジの多くの負荷が掛かり、強度及び耐久性が一層低下しやすい。
【００１１】
このように、クラブ長さの調整機構の付加によって、従来のシャフト着脱機構が有する課題が更に強調される結果となる。即ち、従来のシャフト着脱機構にクラブ長さの調整機構を組み込む場合、角度調整の制約の問題は解決されず、それどころか、構造が更に複雑化し、強度及び耐久性が一層低下しうる。
【００１２】
本発明の目的は、シャフト着脱機構とクラブ長さの調整機構との組み合わせを、複雑な構造に依らずに実現しうるゴルフクラブの提供にある。
【課題を解決するための手段】
【００１３】
好ましいゴルフクラブは、ホーゼル部を有するヘッドと、シャフトと、このシャフトの先端部に配置された逆テーパー係合部とを備えている。上記逆テーパー係合部は、上記シャフトの先端部に固定された逆テーパー形状のスリーブと、このスリーブの外側にはめ込まれたスペーサーとを含んでいる。上記ホーゼル部は、ホーゼル孔と、このホーゼル孔の側方に設けられ且つ上記シャフトを通過させうるホーゼルスリットとを有している。上記ホーゼル孔は、上記逆テーパー係合部の外面の形状に対応した逆テーパー孔を有している。上記逆テーパー係合部は、上記逆テーパー孔にはめ込まれている。このゴルフクラブでは、上記スペーサーの肉厚を変化させることで、クラブ長さが変化する。
【００１４】
好ましくは、上記スペーサーの上記肉厚の変化と共に、上記スペーサーの長さが変化している。
【００１５】
好ましくは、上記逆テーパー係合部が、上記スリーブの後端に取り付けられる延長スリーブを更に有している。好ましくは、上記延長スリーブが、上記スペーサーの内側に嵌め込まれている。
【００１６】
好ましくは、上記延長スリーブの側面に凹みが設けられている。
【００１７】
好ましくは、クラブ長さに関わらず、上記逆テーパー係合部の下端面の軸方向位置が同一である。
【００１８】
好ましくは、上記ゴルフクラブは、上記延長スリーブとして、第１の延長スリーブ及び第２の延長スリーブを有している。好ましくは、上記ヘッドは、上記第１の延長スリーブ及び上記第２の延長スリーブを択一的に取り付け可能な延長スリーブポートを有している。
【００１９】
好ましくは、上記第２の上記延長スリーブが、上記第１の上記延長スリーブよりも長い。好ましくは、上記第２の上記延長スリーブが、上記第１の上記延長スリーブよりも重い。
【発明の効果】
【００２０】
シャフト着脱機構とクラブ長さの調整機構との組み合わせが、複雑な構造に依らずに実現されうる。
【図面の簡単な説明】
【００２１】
【図１】図１は、第１実施形態に係るゴルフクラブの正面図である。
【図２】図２は、図１のゴルフクラブをソール側から見た斜視図である。
【図３】図３は、図１のゴルフクラブと交換用スペーサーとを含むゴルフクラブキットの分解斜視図である。図３は、図１のゴルフクラブの分解斜視図を含む。
【図４】図４は、図１のゴルフクラブの組立工程図である。
【図５】図５（ａ）から図５（ｃ）は、第１実施形態に係るゴルフクラブの断面図であって、クラブ長さの変化を示す。図５（ａ）は、クラブ長さが最小の状態にあるゴルフクラブの断面図である。 図５（ｂ）は、クラブ長さが中間の状態にあるゴルフクラブの断面図である。図５（ｃ）は、クラブ長さが最大の状態にあるゴルフクラブの断面図である。
【図６】図６は、第１実施形態に係るヘッドの斜視図である。
【図７】図７は、変形例のスペーサーの斜視図である。
【図８】図８（ａ）は、図７のすペーサーの断面図であり、図８（ｂ）は他の変形例のスペーサーの要部断面図であり、図８（ｃ）は他の変形例のスペーサーの要部断面図である。
【図９】図９は、他の変形例のスペーサーの斜視図である。
【図１０】図１０（ａ）から（ｃ）は、第２実施形態に係るゴルフクラブの断面図であって、クラブ長さの変化を示す。図１０（ａ）は、クラブ長さが最小の状態にあるゴルフクラブの断面図である。 図１０（ｂ）は、クラブ長さが中間の状態にあるゴルフクラブの断面図である。図１０（ｃ）は、クラブ長さが最大の状態にあるゴルフクラブの断面図である。
【図１１】図１１は、第２実施形態のゴルフクラブに用いられているスリーブの斜視図である。
【図１２】図１２は、図１１のスリーブに結合される延長スリーブの斜視図である。
【図１３】図１３（ａ）は図１２の延長スリーブの平面図であり、図１３（ｂ）はその側面図であり、図１３（ｃ）はその底面図である。
【図１４】図１４（ａ）は、変形例に係る延長スリーブの側面図であり、図１４（ｂ）は、他の変形例に係る延長スリーブの側面図である。
【図１５】図１５は、第２実施形態のゴルフクラブに用いられているヘッドの斜視図である。
【図１６】図１６は、第２実施形態のゴルフクラブにおける脱落防止機構の断面図である。
【図１７】図１７は、他の脱落防止機構の断面図である。
【図１８】図１８は、ネジ部材を用いた脱落防止機構の一例を示す断面図である。
【図１９】図１９は、第３実施形態に係るヘッドの斜視図である。
【図２０】図２０（ａ）及び図２０（ｂ）は、図１９のヘッドを有するゴルフクラブの断面図である。
【発明を実施するための形態】
【００２２】
以下、適宜図面が参照されつつ、好ましい実施形態に基づいて本発明が詳細に説明される。
【００２３】
なお、特に説明しない限り、本願における「周方向」とは、シャフトの周方向を意味する。特に説明しない限り、本願における「軸方向」とは、シャフトの軸方向を意味する。特に説明しない限り、本願における「軸垂直方向」とは、シャフトの軸方向に対して直角に交わる方向を意味する。特に説明しない限り、本願における断面とは、シャフトの軸線に対して垂直な平面に沿った断面を意味する。特に説明しない限り、シャフトの軸方向におけるグリップ側が上側とされ、シャフトの軸方向におけるソール側が下側とされる。
【００２４】
図１は、本発明の第１実施形態であるゴルフクラブ１００を示す。図１は、ゴルフクラブ１００のヘッド近傍のみを示している。図２は、ゴルフクラブ１００をソール側から見た斜視図である。図３は、ゴルフクラブ１００の分解斜視図である。
【００２５】
ゴルフクラブ１００は、ヘッド２００、シャフト３００、スリーブ４００、スペーサー５００及びグリップ（図示されず）を有する。スリーブ４００とスペーサー５００とで、逆テーパー係合部ＲＴが構成されている。逆テーパー係合部ＲＴは、シャフト３００の先端部に配置されている。逆テーパー係合部ＲＴの外面は、スペーサー５００によって形成されている。
【００２６】
ヘッド２００のタイプは限定されない。本実施形態のヘッド２００は、ウッド型ヘッドである。ヘッド２００は、ハイブリッド型ヘッド、アイアン型ヘッド、パターヘッド等であってもよい。ウッド型ヘッドは、ドライバーヘッドでもよいし、フェアウェイウッドのヘッドでもよい。
【００２７】
シャフト３００は限定されず、例えば、カーボンシャフト及びスチールシャフトが用いられうる。
【００２８】
図示されていないが、シャフト３００はテーパー形状を有する。グリップ側にいくにつれて、シャフト３００の直径は大きくなっている。スリーブ４００は、シャフト３００の先端部に固定されている。シャフト３００の先端部は、シャフト３００において最も細い部分である。
【００２９】
ゴルフクラブ１００において、使用されているスペーサー５００の数は、１個である。ただし、交換用スペーサー５３０，５６０が用意されている。
【００３０】
本願では、シャフトがヘッドに取り付けられている状態において、使用されているスペーサーの数が、Ｎ１とされる。ゴルフクラブ１００では、Ｎ１が１である。Ｎ１は、２であってもよい。Ｎ１は、３以上であってもよい。逆テーパー係合部ＲＴの軽量化の観点からは、Ｎ１は１又は２が好ましく、１がより好ましい。
【００３１】
図３が示すように、ゴルフクラブ１００に係るゴルフクラブキット１００ｋは、スペーサー５００に加えて、交換用のスペーサー５３０、５６０を有する。少なくとも１つの交換用のスペーサーとゴルフクラブ１００とで、ゴルフクラブキット１００ｋが構成されている。ゴルフクラブキット１００ｋは、複数（３つ）のスペーサー５００，５３０，５６０を有する。２つの交換用スペーサーを含む３つのスペーサーが、それぞれ、第１のスペーサー５００、第２のスペーサー５３０及び第３のスペーサー５６０とも称される。
【００３２】
本願では、ゴルフクラブキット１００ｋにおけるスペーサーの総数がＮ２とされる。ゴルフクラブキット１００ｋでは、Ｎ２は３である。クラブ長さの多様性の観点から、Ｎ２は、２以上が好ましく、３以上がより好ましい。長さ調整の刻み幅が小さすぎると、長さ調整の意義が減退する。また、強度の観点から、スペーサーの長さが過大となるのは好ましくない。これらの点を考慮すると、Ｎ２は、６以下が好ましく、５以下がより好ましく、４以下がより好ましい。
【００３３】
本願では、交換用スペーサーの数がＮ３とされる。ゴルフクラブキット１００ｋでは、Ｎ３は２である。クラブ長さの多様性の観点から、Ｎ３は、１以上が好ましく、２以上がより好ましい。長さ調整の刻み幅が小さすぎると、長さ調整の意義が減退する。また、強度の観点から、スペーサーの長さが過大となるのは好ましくない。これらの点を考慮すると、Ｎ３は、５以下が好ましく、４以下がより好ましく、３以下がより好ましい。Ｎ３＝Ｎ２−Ｎ１である。
【００３４】
ゴルフクラブ１００では、クラブ長さの調整が可能である。ゴルフクラブ１００では、クラブ長さが３段階に調整されうる。クラブ長さの調整がＭ段階とされる。Ｎ２が過大となることを防止する観点から、Ｍは、６以下が好ましく、５以下がより好ましく、４以下が更に好ましい。調整性の観点から、Ｍは２以上が好ましく、３以上がより好ましい。Ｎ１が１であるとき、ＭはＮ２と同じであるのが好ましい。
【００３５】
ヘッド２００は、ホーゼル部２０２を有している。図３が示すように、ホーゼル部２０２は、ホーゼル孔２０４を有する。このホーゼル孔２０４は、逆テーパー孔２０５を有している。この逆テーパー孔２０５の形状は、逆テーパー係合部ＲＴの外面の形状に対応している。換言すれば、この逆テーパー孔２０５の形状は、スペーサー５００の外面の形状に対応している。係合状態において、逆テーパー係合部ＲＴの外面（スペーサー５００の外面）は、逆テーパー孔２０５に面接触している。逆テーパー係合部ＲＴの外面は複数（４つ）の平面を有するが、これらの平面の全てが、逆テーパー孔２０５（ホーゼル孔２０４）に面接触している。
【００３６】
図２及び図３が示すように、ホーゼル部２０２は、ホーゼルスリット２０６を有する。ホーゼルスリット２０６は、ホーゼル部２０２の側方に設けられている。ホーゼルスリット２０６は、ホーゼル孔２０４の内部とヘッドの外部とを連通する開口である。ホーゼルスリット２０６は、軸方向上側に開放されており、且つ、軸方向下側にも開放されている。ホーゼルスリット２０６は、ホーゼル部２０２のヒール側に設けられている。ホーゼルスリット２０６により、逆テーパー孔２０５の一部が欠落している。
【００３７】
図３には、ホーゼルスリット２０６の幅Ｗｓが示されている。幅Ｗｓは、シャフト３００の最も細い部分の直径よりも大きい。このため、ホーゼルスリット２０６は、シャフト３００を通過させうる。ホーゼルスリット２０６は、軸直角方向に移動するシャフト３００を通過させうる。軸直角方向とは、シャフト３００の軸線に対して直角の方向である。
【００３８】
ホーゼルスリット２０６により、逆テーパー孔２０５（ホーゼル孔２０４）の周方向における一部が欠落している。逆テーパー係合部ＲＴの保持性を高める観点から、幅Ｗｓは小さいほうが好ましい。例えば、幅Ｗｓは、シャフト３００の露出部の最も細い部分（例えば、逆テーパー係合部ＲＴに隣接した部分）よりも大きければよい。露出部とは、スリーブ及びグリップが取り付けられておらず、外部に露出している部分を意味する。言うまでも無いが、幅Ｗｓは、逆テーパー係合部ＲＴが通過できないように設定される。逆テーパー係合部ＲＴは、ホーゼルスリット２０６を通過できない。
【００３９】
通常のヘッドと同様に、ヘッド２００は、クラウン２０８、ソール２１０及びフェース２１２を有している（図１から３を参照）。
【００４０】
図３が示すように、スリーブ４００は、内面４０２と外面４０４と上端面４０６とを有する。内面４０２は、シャフト孔を形成している。内面４０２の断面形状は、円形である。内面４０２の形状は、シャフト３００の外面に対応している。内面４０２は、シャフト３００の先端部に固定されている。すなわち、スリーブ４００は、シャフト３００の先端部に固定されている。この固定には、接着剤が用いられている。なお、スリーブが、シャフトに対して着脱可能であってもよい。例えば、スリーブのシャフト孔が雌ねじとされ、シャフトの先端部がこの雌ねじに結合しうる雄ねじであってもよい。
【００４１】
外面４０４は、角錐面である。外面４０４は、四角錐面である。外面４０４の断面形状は、非円形である。外面４０４の断面形状は、多角形（正多角形）である。外面４０４の断面形状は、四角形である。外面４０４の断面形状は、正方形である。外面４０４の断面線により構成される図形の面積は、下方（ソール側）に近づくほど大きい。即ち、スリーブ４００は逆テーパー形状である。
【００４２】
図３が示すように、スペーサー５００（第１のスペーサー５００）は、内面５０２と外面５０４とを有する。内面５０２は、スリーブ孔を形成している。内面５０２の断面形状は、スリーブ４００の外面４０４に対応している。内面５０２に、スリーブ４００の外面４０４がはめ込まれる。換言すれば、スペーサー５００の内側にスリーブ４００がはめ込まれる。スペーサー５００は、スリーブ４００に接着されていない。スペーサー５００は、スリーブ４００に接触しているだけである。
【００４３】
内面５０２の形状は、スリーブ４００の外面４０４に対応している。内面５０２は、角錐面である。内面５０２は、四角錐面である。内面５０２の断面形状は、非円形である。内面５０２の断面形状は、多角形（正多角形）である。内面５０２の断面形状は、四角形である。内面５０２の断面形状は、正方形である。内面５０２の断面線により構成される図形の面積は、下方（ソール側）に近づくほど大きい。
【００４４】
外面５０４（逆テーパー係合部ＲＴの外面）の形状は、逆テーパー孔２０５の形状に対応している。外面５０４は、角錐面である。外面５０４は、四角錐面である。外面５０４の断面形状は、非円形である。外面５０４の断面形状は、多角形（正多角形）である。外面５０４の断面形状は、四角形である。外面５０４の断面形状は、正方形である。外面５０４の断面線により構成される図形の面積は、下方（ソール側）に近づくほど大きい。即ち、スペーサー５００は、逆テーパー形状である。スリーブ４００とスペーサー５００とで、逆テーパー係合部ＲＴが構成されている。
【００４５】
第２のスペーサー５３０は、第１のスペーサー５００と交換されて用いられうる。長さＬ及び肉厚Ｔを除き、第２のスペーサー５３０は、第１のスペーサー５００と同じである。第２のスペーサー５３０は、内面５３２と外面５３４とを有する。内面５３２は、スリーブ孔を形成している。内面５３２の断面形状は、スリーブ４００の外面４０４に対応している。内面５３２に、スリーブ４００の外面４０４がはめ込まれる。換言すれば、スペーサー５３０の内側にスリーブ４００がはめ込まれる。スペーサー５３０は、スリーブ４００に接着されない。スペーサー５３０は、スリーブ４００に接触しているだけである。
【００４６】
内面５３２の形状は、スリーブ４００の外面４０４に対応している。内面５３２は、角錐面である。内面５３２は、四角錐面である。内面５３２の断面形状は、非円形である。内面５３２の断面形状は、多角形（正多角形）である。内面５３２の断面形状は、四角形である。内面５３２の断面形状は、正方形である。内面５３２の断面線により構成される図形の面積は、下方（ソール側）に近づくほど大きい。
【００４７】
外面５３４（逆テーパー係合部ＲＴの外面）の形状は、逆テーパー孔２０５の形状に対応している。外面５３４は、角錐面である。外面５３４は、四角錐面である。外面５３４の断面形状は、非円形である。外面５３４の断面形状は、多角形（正多角形）である。外面５３４の断面形状は、四角形である。外面５３４の断面形状は、正方形である。外面５３４の断面線により構成される図形の面積は、下方（ソール側）に近づくほど大きい。即ち、スペーサー５３０は、逆テーパー形状である。スリーブ４００とスペーサー５３０とで、逆テーパー係合部ＲＴが構成される。
【００４８】
第３のスペーサー５６０は、第１のスペーサー５００と交換されて用いられうる。長さＬ及び肉厚Ｔを除き、第３のスペーサー５６０は、第１のスペーサー５００と同じである。長さＬ及び肉厚Ｔを除き、第３のスペーサー５６０は、第２のスペーサー５３０と同じである。第３のスペーサー５６０は、内面５６２と外面５６４とを有する。内面５６２は、スリーブ孔を形成している。内面５６２の断面形状は、スリーブ４００の外面４０４に対応している。内面５６２に、スリーブ４００の外面４０４がはめ込まれる。換言すれば、スペーサー５６０の内側にスリーブ４００がはめ込まれる。スペーサー５６０は、スリーブ４００に接着されない。スペーサー５６０は、スリーブ４００に接触しているだけである。
【００４９】
内面５６２の形状は、スリーブ４００の外面４０４に対応している。内面５６２は、角錐面である。内面５６２は、四角錐面である。内面５６２の断面形状は、非円形である。内面５６２の断面形状は、多角形（正多角形）である。内面５６２の断面形状は、四角形である。内面５６２の断面形状は、正方形である。内面５６２の断面線により構成される図形の面積は、下方（ソール側）に近づくほど大きい。
【００５０】
外面５６４（逆テーパー係合部ＲＴの外面）の形状は、逆テーパー孔２０５の形状に対応している。外面５６４は、角錐面である。外面５６４は、四角錐面である。外面５６４の断面形状は、非円形である。外面５６４の断面形状は、多角形（正多角形）である。外面５６４の断面形状は、四角形である。外面５６４の断面形状は、正方形である。外面５６４の断面線により構成される図形の面積は、下方（ソール側）に近づくほど大きい。即ち、スペーサー５６０は、逆テーパー形状である。スリーブ４００とスペーサー５６０とで、逆テーパー係合部ＲＴが構成される。
【００５１】
図４は、ゴルフクラブ１００のシャフト３００がヘッド２００に装着される工程を示す。
【００５２】
この装着工程では、先ず、シャフトアッセンブリ７００が用意される（図４の（ａ）；第１ステップ）。シャフトアッセンブリ７００は、シャフト３００と、スリーブ４００と、スペーサー５００とを有する。スペーサー５００にシャフト３００が挿通された後に、スリーブ４００がシャフト３００の先端部に固定されて、シャフトアッセンブリ７００が得られる。シャフトアッセンブリ７００において、スリーブ４００はシャフト３００に固定されているが、スペーサー５００はシャフト３００に固定されていない。スペーサー５００は、シャフト３００が挿通された状態で、軸方向に移動しうる（図４の（ａ）を参照）。ただし、スリーブ４００の存在により、スペーサー５００がシャフト３００から脱落することはない。
【００５３】
なお、後述の通り、スペーサー５００は、スリーブ４００がシャフト３００に固定された後であっても、シャフト３００に装着されうるのが好ましい。
【００５４】
次に、このシャフトアッセンブリ７００において、スペーサー５００がスリーブ４００の外面に当接するまで移動される（図４の（ｂ）；第２ステップ）。即ち、スペーサー５００は、シャフトアッセンブリ７００の最も先端側に移動される。この移動により、スリーブ４００にスペーサー５００が係合し、逆テーパー係合部ＲＴが完成する。
【００５５】
次に、シャフト３００にホーゼルスリット２０６を通過させ、シャフト３００を逆テーパー孔２０５の内側に移動させる（図４の（ｃ）；第３ステップ）。このシャフト３００の移動の結果、逆テーパー係合部ＲＴは、ヘッド２００のソール２１０側に移動する。
【００５６】
最後に、シャフト３００（シャフトアッセンブリ７００）を軸方向に沿ってグリップ側に移動させ、逆テーパー係合部ＲＴを逆テーパー孔２０５にはめ込む（図４の（ｄ）；第４ステップ）。このはめ込みにより、ヘッド２００に対するシャフト３００の装着が達成される。換言すれば、このはめ込みにより、係合状態が達成される。係合状態とは、ゴルフクラブ１００が使用可能な状態である。係合状態では、全ての逆テーパー嵌合が達成されている。全ての逆テーパー係合とは、スリーブ４００とスペーサー５００との間の逆テーパー係合、及び、スペーサー５００と逆テーパー孔２０５との間の逆テーパー係合である。
【００５７】
このように、シャフト３００（シャフトアッセンブリ７００）をヘッド２００に取り付けるのは容易である。加えて、上述した第２から第４ステップと逆の手順により、シャフト３００（シャフトアッセンブリ７００）をヘッド２００から取り外すのも容易である。ゴルフクラブ１００では、シャフト３００がヘッド２００に取り外し可能に取り付けられている。
【００５８】
図５（ａ）から（ｃ）は、軸方向に沿ったゴルフクラブ１００の断面図である。以下では、複数のスペーサー５００、５３０，５６０のうちのスペーサー５００が用いられた場合が、ゴルフクラブ１００ａとされる。ゴルフクラブ１００ａは、クラブ長さが最小の状態である。ゴルフクラブ１００ａでは、逆テーパー係合部ＲＴは、スリーブ４００とスペーサー５００とにより構成されている。複数のスペーサー５００、５３０，５６０のうちのスペーサー５３０が用いられた場合が、ゴルフクラブ１００ｂとされる。ゴルフクラブ１００ｂは、クラブ長さが中間の状態である。ゴルフクラブ１００ｂでは、逆テーパー係合部ＲＴは、スリーブ４００とスペーサー５３０とにより構成されている。複数のスペーサー５００、５３０，５６０のうちのスペーサー５６０が用いられた場合が、ゴルフクラブ１００ｃとされる。ゴルフクラブ１００ｃは、クラブ長さが最大の状態である。ゴルフクラブ１００ｃでは、逆テーパー係合部ＲＴは、スリーブ４００とスペーサー５６０とにより構成されている。
【００５９】
図５（ａ）は、軸方向に沿ったゴルフクラブ１００ａの断面図である。図１及び図２で示されているゴルフクラブ１００は、ゴルフクラブ１００ａである。図５（ｂ）は、軸方向に沿ったゴルフクラブ１００ｂの断面図である。図５（ｃ）は、軸方向に沿ったゴルフクラブ１００ｃの断面図である。
【００６０】
図５（ａ）から（ｃ）が示すように、複数のスペーサー５００，５３０，５６０の間で、肉厚Ｔが変化している。第２のスペーサー５３０の肉厚ｔ２は、第１のスペーサー５００の肉厚ｔ１よりも薄い。第３のスペーサー５６０の肉厚ｔ３は、第２のスペーサー５３０の肉厚ｔ２よりも薄い。
【００６１】
図５（ａ）から（ｃ）が示すように、複数のスペーサー５００，５３０，５６０の間で、長さＬが変化している。第２のスペーサー５３０の長さＬ２は、第１のスペーサー５００の長さＬ１よりも大きい。第３のスペーサー５６０の長さＬ３は、第２のスペーサー５３０の長さＬ２よりも大きい。スペーサーが薄いほど、スペーサーが長い。即ち、スペーサーの肉厚Ｔが小さいほど、スペーサーの長さＬは大きい。
【００６２】
スペーサーの肉厚Ｔの変化に起因して、スペーサー内面の断面積は変化している。同一の軸方向位置で比較すると、スペーサーの肉厚Ｔが薄いほど、スペーサー内面の断面積は大きい。具体的には、同一の軸方向位置で比較すると、第２のスペーサー５３０の内面５３２の断面積は、第１のスペーサー５００の内面５０２の断面積よりも大きい。同一の軸方向位置で比較すると、第３のスペーサー５６０の内面５６２の断面積は、第２のスペーサー５３０の内面５３２の断面積よりも大きい。
【００６３】
従って、係合状態において、各スペーサーに対するスリーブ４００の軸方向位置は変化する。第１のスペーサー５００に係合するスリーブ４００の軸方向位置がＰ１とされ、第２のスペーサー５３０に係合するスリーブ４００の軸方向位置がＰ２とされ、第３のスペーサー５６０に係合するスリーブ４００の軸方向位置がＰ３とされる。図５（ａ）から（ｃ）が示すように、軸方向位置Ｐ２は軸方向位置Ｐ１よりも上側である。軸方向位置Ｐ３は軸方向位置Ｐ２よりも上側である。
【００６４】
このような軸方向位置の変化に起因して、クラブ長さが変化する。ゴルフクラブ１００ｂは、ゴルフクラブ１００ａよりも長い。ゴルフクラブ１００ｃは、ゴルフクラブ１００ｂよりも長い。
【００６５】
このように、ゴルフクラブ１００では、スペーサー５００，５３０，５６０の肉厚Ｔを変化させることで、クラブ長さが変化している。
【００６６】
ゴルフクラブ１００では、スペーサー５００，５３０，５６０の長さＬが、その肉厚Ｔと共に変化している。即ち、肉厚Ｔが小さいほど長さＬが大きい。このため、スリーブ４００の軸方向位置が移動しているにも関わらず、スリーブ４００と各スペーサーとの係合面積が確保されている。また、各スペーサーと逆テーパー孔２０５との係合面積も確保されている。したがって、ゴルフクラブ１００ａ、ゴルフクラブ１００ｂ及びゴルフクラブ１００ｃのいずれにおいても、実打に耐えうる程度に、ヘッド２００に対するシャフト３００の固定が達成されている。
【００６７】
係合状態における、スリーブとスペーサーとの接触面積がＳとされる。図５（ａ）から図５（ｃ）の実施形態において、ゴルフクラブ１００ａの接触面積ＳがＳ１とされ、ゴルフクラブ１００ｂの接触面積ＳがＳ２とされ、ゴルフクラブ１００ｃの接触面積ＳがＳ３とされる。本実施形態では、Ｓ１＞Ｓ２＞Ｓ３である。
【００６８】
このように、異なるクラブ長さのそれぞれで接触面積Ｓが定まる。これらの接触面積Ｓのうちの最大値がＳｍａｘとされ、最小値がＳｍｉｎとされる。本実施形態では、最大値ＳｍａｘがＳ３であり、最小値ＳｍｉｎがＳ２である。シャフト３００の保持を確実とする観点から、Ｓｍｉｎ／Ｓｍａｘは、０．５以上が好ましく、０．６以上がより好ましく、０．７以上がより好ましく、０．８以上がより好ましく、０．９以上がより好ましい。Ｓｍｉｎ／Ｓｍａｘは１であるのも好ましい。
【００６９】
シャフト３００の保持を確実とする観点から、接触面積Ｓは、１２０ｍｍ２以上が好ましく、３６０ｍｍ２以上がより好ましく、６００ｍｍ２以上がより好ましい。過大なホーゼル部２０２は、ヘッド２００の設計自由度を低下させる。この観点から、接触面積Ｓは、３０００ｍｍ２以下が好ましく、２４００ｍｍ２以下がより好ましく、１８００ｍｍ２以下がより好ましい。
【００７０】
図５（ａ）から（ｃ）が示すように、第１のスペーサー５００は、上端面５０６と下端面５０８とを有する。第２のスペーサー５３０は、上端面５３６と下端面５３８とを有する。第３のスペーサー５６０は、上端面５６６と下端面５６８とを有する。
【００７１】
図５（ａ）から（ｃ）が示すように、ゴルフクラブ１００ａ，１００ｂ，１００ｃでは、各スペーサーの下端面の軸方向位置が同一である。このような構成に限定されない。係合状態において、スペーサーの肉厚Ｔが薄いほど、スペーサーの下端面が上側であってもよい。即ち、係合状態において、下端面５３８が下端面５０８よりも上側であってもよい。係合状態において、下端面５６８が下端面５３８よりも上側であってもよい。
【００７２】
図５（ａ）が示すように、ゴルフクラブ１００ａ，１００ｂ，１００ｃでは、各スペーサーの上端面５０６，５３６，５６６が、スリーブ４００の上端面４０６よりも下側に位置している。この形態では、スペーサーとスリーブとで階段状の露出部が形成される。この階段状の露出部は、フェラルの様な外観が得られる点で好ましい。もちろんこの形態には限定されず、各スペーサーの上端面５０６，５３６，５６６の軸方向位置が、スリーブ４００の上端面４０６の軸方向位置と同じであってもよい。また、各スペーサーの上端面５０６，５３６，５６６が、スリーブ４００の上端面４０６よりも上側であってもよい。
【００７３】
図６は、ヘッド２００の斜視図である。ヘッド２００は、逆テーパー孔２０５の下端に位置する下方開口２２０と、この下方開口２２０から軸垂直方向に延在する開口底面２２２と、この開口底面からソール側に延在する延在面２２４とを有する。
【００７４】
図５（ａ）から（ｃ）の実施形態では、ゴルフクラブ１００ａ，１００ｂ及び１００ｃにおいて、各スペーサーの下端面の軸方向位置が、開口底面２２２の軸方向位置と同じである。本発明は、このような構成に限定されない。係合状態において、各スペーサーの下端面の軸方向位置が、開口底面２２２よりも上側であってもよい。係合状態において、各スペーサーの下端面の軸方向位置が、開口底面２２２よりも下側であってもよい。
【００７５】
図７は、変形例のスペーサー８００の斜視図である。図８（ａ）は、図７のＡ−Ａ線に沿った断面図である。スペーサー８００は、スリーブ４００をシャフト３００に固定したまま交換可能なスペーサーの一例である。なお、スリーブ４００がシャフト３００に接着剤で接着されている場合には、このスペーサー８００のような、スリーブ４００をシャフト３００に固定したまま交換可能なスペーサーが好ましく用いられる。
【００７６】
前述したスペーサー５００等と同様に、スペーサー８００は、内面８０２と外面８０４とを有する。
【００７７】
スペーサー８００は、分割構造を有する。スペーサー８００は、第１分割体８１０と、第２分割体８２０とを有する。図７では、分割ラインｄ１が示されている。この分割ラインｄ１は、第１分割体８１０と第２分割体８２０との境界である。
【００７８】
スペーサー８００は、連結部８３０を有する。本実施形態では、連結部８３０は、板バネである。この板バネは、弾性体である。本実施形態では、２つの連結部８３０が設けられている。連結部８３０の一方側が第１分割体８１０に固定されており、連結部８３０の他方側が第２分割体８２０に固定されている。
【００７９】
連結部８３０は、外面８０４に設けられた凹部に収容されている。連結部８３０は、外面８０４よりも外側に突出していない。連結部８３０は、外面８０４がはめ込まれる逆テーパー面と外面８０４との接触を阻害しない。外面８０４がはめ込まれる逆テーパー面とは、ヘッドの逆テーパー孔か、又は、他のスペーサーの内面である。
【００８０】
連結部８３０は、蝶番の役割を果たす。連結部８３０を中心として、スペーサー８００は開く。外力を付加することで、スペーサー８００は開く。この開状態が、図８（ａ）において二点鎖線で示されている。連結部８３０（板バネ）が曲がることで、スペーサー８００は開く。この開状態では、第１分割体８１０と第２分割体８２０との間に隙間ｇｐが生じる。この隙間ｇｐから、シャフトをスペーサー８００の内側に入れることができる。シャフトが入った状態で、スペーサー８００は閉じられる。板バネ８３０は、閉状態となるようにスペーサー８００を付勢している。よって、外力が無くなると、スペーサー８００は（自動的に）閉じる。
【００８１】
この開閉式のスペーサー８００は、スペーサーの交換を可能とする。図４（ａ）が示すように、シャフトアッセンブリ７００において、スペーサー５００は、シャフト３００の上を軸方向に動きうるが、そのままの状態では、シャフト３００から離脱できない。なぜなら、スリーブ４００がシャフト３００に着脱不能に固定されているからである。しかし、上述した開状態を採ることで、スペーサー８００は、シャフト３００を側方から取り入れることができる。よって、スリーブ４００が固定されたシャフト３００に対して、スペーサー８００の取り付け及び取り外しが可能である。したがって、スリーブ４００が固定されたシャフト３００に対して、スペーサーの交換が可能となる。
【００８２】
なお、スペーサー８００は、第１分割体８１０と第２分割体８２０との位置ズレを防止する位置合わせ構造を有する。この位置合わせ構造として、平板の継ぎ合わせ構造が適用されてもよい。図８（ａ）の実施形態は、位置合わせ構造の一例を含む。この位置合わせ構造において、第１分割体８１０は、厚み方向の位置ズレを防止する当接面ｍ１と、軸方向の位置ズレを防止する当接面ｍ２とを有する。同様に、第２分割体８２０は、厚み方向の位置ズレを防止する当接面ｍ１と、軸方向の位置ズレを防止する当接面ｍ２とを有する。閉じられた状態のスペーサー８００において、第１分割体８１０の当接面ｍ１と第２分割体８２０の当接面ｍ１とが当接しており、第１分割体８１０の当接面ｍ２と第２分割体８２０の当接面ｍ２とが当接している。よって、厚み方向及び軸方向の位置ズレが防止されている。
【００８３】
図８（ａ）が示すように、スペーサー８００の分割ラインｄ１は、第１分割ラインｄ１１と、第２分割ラインｄ１２とを有する。第１分割ラインｄ１１は、連結部８３０のない分割ラインである。第２分割ラインｄ１２は、連結部８３０のある分割ラインである。図８（ａ）では、第１分割ラインｄ１１に設けられた上記位置合わせ構造が示されている。好ましくは、第２分割ラインｄ１２にも、上記位置合わせ構造が設けられる。
【００８４】
図８（ｂ）は、他の位置合わせ構造を示す。この位置合わせ構造では、第１部材の凸と第２部材の凹とが付き合わされている。第１部材における厚み方向の中央側と、第２部材における厚み方向の内側及び外側とが重ねられている。なお、上記第１部材とは、第１分割体８１０又は第２分割体８２０の一方であり、上記第２部材とは、第１分割体８１０又は第２分割体８２０の他方である。
【００８５】
図８（ｃ）は、他の位置合わせ構造を示す。この位置合わせ構造では、第１部材の凸と第２部材の凹とが付き合わされている。第１部材の凸の断面は斜面により構成されている。第２部材の凹の断面は斜面により構成されている。第１部材における厚み方向の中央側と、第２部材における厚み方向の内側及び外側とが重ねられている。なお、上記第１部材とは、第１分割体８１０又は第２分割体８２０の一方であり、上記第２部材とは、第１分割体８１０又は第２分割体８２０の他方である。
【００８６】
図８（ｂ）及び（ｃ）に示されるような位置合わせ構造でも、厚み方向の位置ズレに加えて、軸方向の位置ズレを防止することができる。例えば、図８（ｂ）及び（ｃ）に示されるような位置合わせ構造が軸方向の一部のみに採用される場合、当該位置合わせ構造の終端位置において、軸方向の位置ズレを防止する当接面が形成されうる。よって、軸方向の位置ズレが防止されうる。
【００８７】
図９は、他の変形例に係るスペーサー９００の斜視図である。前述したスペーサー５００等と同様に、スペーサー９００は、内面９０２と外面９０４とを有する。
【００８８】
スペーサー８００と同様に、スペーサー９００は、分割構造を有する。スペーサー９００は、第１分割体９１０と、第２分割体９２０とを有する。図９では、分割ラインｄ１が示されている。この分割ラインｄ１は、第１分割体９１０と第２分割体９２０との境界である。
【００８９】
スペーサー９００は、リング状の弾性体９３０、９４０を有する。更に、スペーサー９００は、周溝９５０、９６０を有する。弾性体９３０、９４０は、周溝９５０、９６０に嵌められている。弾性体９３０、９４０は、外面９０４よりも外側に突出していない。弾性体９３０、９４０は、外面９０４がはめ込まれる逆テーパー面と外面９０４との接触を阻害しない。外面９０４がはめ込まれる逆テーパー面とは、ヘッドの逆テーパー孔か、又は、他のスペーサーの内面である。
【００９０】
外力を加えて伸ばすことにより、弾性体９３０、９４０は取り外されうる。弾性体９３０、９４０が取り外されると、第１分割体９１０と第２分割体９２０とは互いに分離されうる。逆に、第１分割体９１０と第２分割体９２０とを突き合わせた後、弾性体９３０、９４０を取り付けることができる。弾性体９３０、９４０の弾性的な収縮力が、２つの分割体９１０、９２０を突き合わせるように付勢している。例えば、このようなスペーサー９００も、スペーサーの交換を可能とする。
【００９１】
スペーサー８００及びスペーサー９００は、第１分割体と、第２分割体とを有している。上記第１分割体と上記第２分割体とが結合した結合状態と、上記第１分割体と上記第２分割体との間に隙間が形成された分離状態との相互移行が可能である。上記分離状態において、上記シャフトを上記隙間を通過させてスペーサーの内部に配置することができる。上記分離状態において、スリーブ４００が固定されたシャフト３００にスペーサーを着脱することができる。
【００９２】
図１０（ａ）から（ｃ）は、第２実施形態に係るゴルフクラブ１１０の断面図である。図１１は、このゴルフクラブ１１０に用いられているスリーブ４１０の斜視図である。図１２は、このゴルフクラブ１１０に用いられている延長スリーブ４２０の斜視図である。図１３（ａ）は延長スリーブ４２０の平面図であり、図１３（ｂ）は延長スリーブ４２０の側面図であり、図１３（ｃ）は延長スリーブ４２０の底面図である。
【００９３】
係合状態におけるゴルフクラブ１１０は、１つのスペーサーと、１つのスリーブとを有している。このゴルフクラブ１１０に係るゴルフクラブキットは、複数（３つ）のスペーサーを有する。３つのうちのいずれか１つのスペーサーが用いられる。他の２つのスペーサーは交換用である。
【００９４】
以下では、複数のスペーサー５１０、５４０，５７０のうちのスペーサー５１０が用いられた場合が、ゴルフクラブ１１０ａとされる。ゴルフクラブ１１０ａは、クラブ長さが最小の状態である。複数のスペーサー５１０、５４０，５７０のうちのスペーサー５４０が用いられた場合が、ゴルフクラブ１１０ｂとされる。ゴルフクラブ１１０ｂは、クラブ長さが中間の状態である。複数のスペーサー５１０、５４０，５７０のうちのスペーサー５７０が用いられた場合が、ゴルフクラブ１１０ｃとされる。ゴルフクラブ１１０ｃは、クラブ長さが最大の状態である。
【００９５】
図１０（ａ）は、軸方向に沿ったゴルフクラブ１１０ａの断面図である。図１０（ｂ）は、軸方向に沿ったゴルフクラブ１１０ｂの断面図である。図１０（ｃ）は、軸方向に沿ったゴルフクラブ１１０ｃの断面図である。
【００９６】
図１０（ａ）から（ｃ）が示すように、複数のスペーサー５１０，５４０，５７０の間で、肉厚Ｔが変化している。第２のスペーサー５４０の肉厚ｔ２は、第１のスペーサー５１０の肉厚ｔ１よりも薄い。第３のスペーサー５７０の肉厚ｔ３は、第２のスペーサー５４０の肉厚ｔ２よりも薄い。
【００９７】
図１０（ａ）から（ｃ）が示すように、複数のスペーサー５１０，５４０，５７０の間で、長さＬは変化していない。この点は、前述した第１実施形態のゴルフクラブ１００と相違する。第２のスペーサー５４０の長さＬ２は、第１のスペーサー５１０の長さＬ１と同じである。第３のスペーサー５７０の長さＬ３は、第２のスペーサー５４０の長さＬ２と同じである。スペーサーの厚みに関わらず、スペーサーの長さは一定である。また、スペーサーの厚みに関わらず、スペーサーの外形は同一である。
【００９８】
スペーサーの肉厚Ｔの変化に起因して、スペーサー内面の断面積は変化している。同一の軸方向位置で比較すると、スペーサーの肉厚Ｔが薄いほど、スペーサー内面の断面積は大きい。具体的には、同一の軸方向位置で比較すると、第２のスペーサー５４０の内面５４２の断面積は、第１のスペーサー５１０の内面５１２の断面積よりも大きい。同一の軸方向位置で比較すると、第３のスペーサー５７０の内面５７２の断面積は、第２のスペーサー５４０の内面５４２の断面積よりも大きい。
【００９９】
従って、係合状態において、各スペーサーに対するスリーブ４１０の軸方向位置は変化する。第１のスペーサー５１０に係合するスリーブ４１０の軸方向位置がＰ１とされ、第２のスペーサー５４０に係合するスリーブ４１０の軸方向位置がＰ２とされ、第３のスペーサー５７０に係合するスリーブ４１０の軸方向位置がＰ３とされる。図１０（ａ）から（ｃ）が示すように、軸方向位置Ｐ２は軸方向位置Ｐ１よりも上側である。軸方向位置Ｐ３は軸方向位置Ｐ２よりも上側である。
【０１００】
このような軸方向位置の変化に起因して、クラブ長さが変化する。ゴルフクラブ１１０ｂは、ゴルフクラブ１１０ａよりも長い。ゴルフクラブ１１０ｃは、ゴルフクラブ１１０ｂよりも長い。
【０１０１】
このように、ゴルフクラブ１１０では、スペーサー５１０，５４０，５７０の肉厚Ｔを変化させることで、クラブ長さが変化している。
【０１０２】
ゴルフクラブ１１０では、スペーサー５１０，５４０，５７０の長さＬが、その肉厚Ｔと共に変化していない。スペーサー５１０，５４０，５７０の長さＬが、その肉厚Ｔに関わらず一定である。
【０１０３】
ゴルフクラブ１１０に係るゴルフクラブキットは、２つの延長スリーブ４２０，４３０を有する。すなわち、ゴルフクラブ１１０に係るゴルフクラブキットは、３つのスリーブ５１０，５４０，５７０に加えて、２つの延長スリーブ４２０，４３０を有する。必要に応じて、いずれか１つの延長スリーブが用いられる。
【０１０４】
図１０（ｂ）が示すように、第１の延長スリーブ４２０は、ゴルフクラブ１１０ｂ（クラブ長さ中間）に用いられている。延長スリーブ４２０は、第２のスペーサー５４０と共に用いられる。延長スリーブ４２０は、スリーブ４１０とともに、スペーサー５４０の内側に嵌め込まれている。この結果、ゴルフクラブ１１０ｂでは、逆テーパー係合部は、スリーブ４１０と延長スリーブ４２０とスペーサー５４０とによって構成される。
【０１０５】
図１０（ｃ）が示すように、第２の延長スリーブ４３０は、ゴルフクラブ１１０ｃ（クラブ長さ最大）に用いられている。延長スリーブ４３０は、延長スリーブ４２０よりも長い。延長スリーブ４３０は、第３のスペーサー５７０と共に用いられる。延長スリーブ４３０は、スリーブ４１０とともに、スペーサー５７０の内側に嵌め込まれている。この結果、ゴルフクラブ１１０ｃでは、逆テーパー係合部は、スリーブ４１０と延長スリーブ４３０とスペーサー５７０とによって構成される。
【０１０６】
このように、ゴルフクラブ１１０では、第１の延長スリーブ４２０と第２の延長スリーブ４３０とが用いられている。なお、図１０（ａ）が示すように、クラブ長さが最小の状態（ゴルフクラブ１１０ａ）では、延長スリーブは用いられていない。
【０１０７】
結局、ゴルフクラブ１１０では、３種のスペーサーと、２種の延長スリーブとが用いられている。ゴルフクラブ１１０に係るゴルフクラブキットは、複数（３種）のスペーサーと、複数（２種）の延長スリーブとを有する。
【０１０８】
上記ゴルフクラブキットにおいて、スペーサーの総数がＮ２とされ、延長スリーブの数がＮ４とされる。好ましくは、Ｎ２−Ｎ４＝１である。なお、Ｎ２及びＮ４は正の整数である。総数Ｎ２の好ましい範囲は、前述の通りである。Ｎ４は、好ましくは、Ｎ２よりも１つ小さい値である。このましいＮ４は１以上３以下であり、より好ましくは１以上２以下である。
【０１０９】
図１１が示すように、スリーブ４１０は、底部４１２を有する。底部４１２は、係合凹部４１４と、ネジ穴４１６とを有する。係合凹部４１４は、底部４１２の中央に設けられている。係合凹部４１４の断面形状は、非円形（四角形、正方形）である。ネジ穴４１６は、係合凹部４１４の中央に設けられている。更に、スリーブ４１０は、側面４１８を有する。側面４１８は、角錐面（四角錐面）である。
【０１１０】
図１２及び図１３（ａ）から（ｃ）が示すように、延長スリーブ４２０は、係合凸部４２２と側面４２４とを有する。係合凸部４２２は、延長スリーブ４２０の上面に設けられている。係合凸部４２２は上方に突出している。係合凸部４２２の断面形状は、非円形（四角形、正方形）である。係合凸部４２２の中央に、貫通孔４２６が設けられている。
【０１１１】
図１３（ｂ）が示すように、延長スリーブ４２０の内部は空洞である。この空洞は下方に開放されている。延長スリーブ４２０の内面の上部には、ネジ収容孔４２８が設けられている。ネジ収容孔４２８は、貫通孔４２６に連続して配置されている。貫通孔４２６とネジ収容孔４２８とは同軸で配置されている。図１３（ｃ）が示すように、ネジ収容孔４２８の内径は、貫通孔４２６の内径よりも大きい。このネジ収容孔４２８には、ネジ（図示されない）の頭部が収容される。
【０１１２】
図１０（ｂ）が示すように、延長スリーブ４２０は、スリーブ４１０の下側に連結される。この連結状態において、係合凸部４２２が係合凹部４１４に係合している。係合凸部４２２は、係合凹部４１４に嵌め込まれている。
【０１１３】
図示されないが、延長スリーブ４２０は、結合機構によってスリーブ４１０に固定されている。本実施形態では、この結合機構は、ネジ機構である。図示されないネジは、延長スリーブ４２０の下方から挿入され、ネジ収容孔４２８及び貫通孔４２６を貫通して、ネジ穴４１６にネジ止めされる。このネジ止めによって、延長スリーブ４２０はスリーブ４１０に固定され、連結状態が完成する。
【０１１４】
上述の通り、連結状態では、係合凸部４２２が係合凹部４１４に嵌められている。係合凸部４２２の外形は、係合凹部４１４に対応している。係合凸部４２２が係合凹部４１４に嵌められた連結状態では、延長スリーブ４２０はスリーブ４１０に対して位置決めされる。係合凸部４２２と係合凹部４１４との係合に起因して、この連結状態では、延長スリーブ４２０はスリーブ４１０に対して回転できない。
【０１１５】
上記連結状態では、スリーブ４１０の側面４１８と延長スリーブ４２０の側面４２４とが面一となる。すなわち、側面４１８の各面のそれぞれが、側面４２４の各面のそれぞれと面一となる。この結果、スリーブ４１０と延長スリーブ４２０とが連結した連結状態により、逆テーパー面（角錐面）の外面を有する連結スリーブが構成される。この連結スリーブが、スペーサー５４０の内側に嵌め込まれている（図１０（ｂ））。この場合、スペーサー５４０の外面が、逆テーパー係合部ＲＴの外面である。
【０１１６】
上述の通り、最も長い状態であるゴルフクラブ１１０ｃでは、延長スリーブ４３０が用いられる。長さの相違を除き、この延長スリーブ４３０の形状は、延長スリーブ４２０と同じである。スリーブ４１０の位置Ｐ３が位置Ｐ２よりも上方となることに対応して、延長スリーブ４３０は延長スリーブ４２０よりも長くされている。延長スリーブ４３０におけるスリーブ４１０との結合機構は、延長スリーブ４２０のそれと同一である（図１０（ｃ）参照）。
【０１１７】
係合状態のゴルフクラブ１１０ａにおいて、スリーブ４１０の下端面ｂ１は外部に露出している（図１０（ａ）参照）。係合状態のゴルフクラブ１１０ｂにおいて、延長スリーブ４２０の下端面ｂ２は外部に露出している（図１０（ｂ）参照）。係合状態のゴルフクラブ１１０ｃにおいて、延長スリーブ４３０の下端面ｂ３は外部に露出している（図１０（ｃ）参照）。係合状態において、下端面ｂ１の軸方向位置は、下端面ｂ２と同じである。係合状態において、下端面ｂ２の軸方向位置は、下端面ｂ３と同じである。
【０１１８】
ゴルフクラブ１１０ｂでは、ゴルフクラブ１１０ａに比較して、スリーブ４１０が上方に移動している。この移動により、ゴルフクラブ１１０ｂでは、スリーブ４１０とスペーサー５４０との接触面積が小さくなる。しかし、ゴルフクラブ１１０ｂでは、スリーブ４１０に延長スリーブ４２０が連結された連結スリーブが構成されている。この連結スリーブ全体で考えると、スペーサー５４０との接触面積が確保されている。結果として、ゴルフクラブ１１０ｂにおいても、スリーブ４１０は確実に保持される。
【０１１９】
ゴルフクラブ１１０ｃでは、ゴルフクラブ１１０ｂに比較して、スリーブ４１０が上方に移動している。この移動により、ゴルフクラブ１１０ｃでは、スリーブ４１０とスペーサー５７０との接触面積が更に小さくなる。しかし、ゴルフクラブ１１０ｃでは、スリーブ４１０に延長スリーブ４３０が連結された連結スリーブが構成されている。この連結スリーブ全体で考えると、スペーサー５７０との接触面積が確保されている。結果として、ゴルフクラブ１１０ｃにおいても、スリーブ４１０は確実に保持される。
【０１２０】
連結スリーブ（ゴルフクラブ１１０ａでは、スリーブ）とスペーサーとの接触面積がＳとされる。接触面積Ｓは、係合状態における面積である。ゴルフクラブ１１０ｂ及びゴルフクラブ１１０ｃように、連結スリーブが形成される場合、接触面積Ｓは、当該連結スリーブとスペーサーとの接触面積と定義される。図１０（ａ）から図１０（ｃ）の実施形態において、ゴルフクラブ１１０ａの接触面積ＳがＳ１とされ、ゴルフクラブ１１０ｂの接触面積ＳがＳ２とされ、ゴルフクラブ１１０ｃの接触面積ＳがＳ３とされる。本実施形態では、Ｓ１＝Ｓ２＝Ｓ３である。
【０１２１】
ゴルフクラブ１００では、複数のスペーサー５１０，５４０，５７０の長さＬが同一である。複数のスペーサー５１０，５４０，５７０の間で、肉厚Ｔのみが相違している。よって、複数種のスペーサーを比較的容易に設計及び製造することができる。
【０１２２】
図１０（ａ）から（ｃ）が示すように、第１のスペーサー５１０は、上端面５１６と下端面５１８とを有する。第２のスペーサー５４０は、上端面５４６と下端面５４８とを有する。第３のスペーサー５７０は、上端面５７６と下端面５７８とを有する。
【０１２３】
図１０（ａ）から（ｃ）が示すように、ゴルフクラブ１１０ａ，１１０ｂ及び１１０ｃでは、各スペーサーの下端面５１８，５４８，５７８の軸方向位置が同一である。また、ゴルフクラブ１１０ａ，１１０ｂ及び１１０ｃでは、上述した下端面ｂ１，ｂ２，ｂ３の軸方向位置が同一である。そして、各スペーサーの下端面５１８，５４８，５７８の軸方向位置が、下端面ｂ１，ｂ２，ｂ３の軸方向位置に一致している。ゴルフクラブ１１０では、クラブ長さに関わらず、逆テーパー係合部ＲＴの下端面ＲＴ１の軸方向位置が同一である。
【０１２４】
図１４（ａ）は、延長スリーブ４２０の変形例である延長スリーブ４２０ａの側面図である。図１４（ｂ）は、延長スリーブ４２０の他の変形例である延長スリーブ４２０ｂの側面図である。
【０１２５】
延長スリーブ４２０と同様に、延長スリーブ４２０ａは、係合凸部４２２と側面４２４とを有する。係合凸部４２２は、延長スリーブ４２０ａの上面に設けられている。係合凸部４２２は上方に突出している。係合凸部４２２の断面形状は、非円形（四角形、正方形）である。図１４（ａ）が示すように、側面４２４には、凹部Ｒ１が設けられている。平面視において、凹部Ｒ１の形状は四角形である。１つの側面４２４につき、２つの凹部Ｒ１が設けられている。凹部Ｒ１の存在を除き、延長スリーブ４２０ａは延長スリーブ４２０と同じである。
【０１２６】
延長スリーブ４２０と同様に、延長スリーブ４２０ｂは、係合凸部４２２と側面４２４とを有する。係合凸部４２２は、延長スリーブ４２０ｂの上面に設けられている。係合凸部４２２は上方に突出している。係合凸部４２２の断面形状は、非円形（四角形、正方形）である。図１４（ｂ）が示すように、側面４２４には、凹部Ｒ２が設けられている。平面視において、凹部Ｒ２の形状は円形である。１つの側面４２４につき、１つの凹部Ｒ２が設けられている。凹部Ｒ２の存在を除き、延長スリーブ４２０ｂは延長スリーブ４２０と同じである。
【０１２７】
凹部Ｒ１及び凹部Ｒ２は、延長スリーブの質量の低減に寄与する。延長スリーブの軽量化により、ヘッドの設計自由度が高まる。
【０１２８】
凹部Ｒ１及び凹部Ｒ２は、延長スリーブに設けられる質量低減部の例である。この質量低減部の他の例として、延長スリーブの側面を貫通する貫通孔が挙げられる。
【０１２９】
なお、このような質量低減部は、スリーブ及びスペーサーにも設けることができる。
【０１３０】
図１５は、第２実施形態に係るヘッド２５０の斜視図である。後述される脱落防止機構の存在を除き、ヘッド２５０は、前述したヘッド２００と同じである。
【０１３１】
ヘッド２５０は、逆テーパー孔２０５の下端に位置する下方開口２２０と、この下方開口２２０から軸垂直方向に延在する開口底面２２２と、この開口底面からソール側に延在する延在面２２４とを有する。
【０１３２】
ヘッド２５０は、脱落防止機構１０００を有する。脱落防止機構１０００は、延在面２２４に設けられている。脱落防止機構１０００は、逆テーパー係合部（スリーブ及びスペーサー）の係合解除方向への移動を規制する。
【０１３３】
図１６は、脱落防止機構１０００近傍の断面図である。 なお、図１６は、図１５に対して、上下が逆になっている。
【０１３４】
脱落防止機構１０００は、突出及び退行が可能な状態で突出方向に付勢された弾性突出部１００４を有する。本実施形態では、弾性突出部１００４は、板バネ１００６である。図１６は、外力が作用していない自然状態における脱落防止機構１０００の断面図である。この自然状態において、板バネ１００６は、逆テーパー孔２０５に近づくほど延在面２２４からの突出高さＨｔが大きくなるように構成されている。上記自然状態において、脱落防止機構１０００は、逆テーパー孔２０５にはめ込まれた逆テーパー係合部の端面（下端面）に当接する当接面１００８を有する。
【０１３５】
ゴルフクラブ１１０ａ（図１０（ａ）参照）において、脱落防止機構１０００の当接面１００８は、スペーサー５１０の下端面５１８と、スリーブ４１０の下端面ｂ１とに当接する。ゴルフクラブ１１０ａでは、逆テーパー係合部ＲＴの下端面ＲＴ１は、下端面５１８と下端面ｂ１とによって構成されている。この下端面ＲＴ１（下端面５１８及び下端面ｂ１）に、当接面１００８が当接する。
【０１３６】
ゴルフクラブ１１０ｂ（図１０（ｂ）参照）において、脱落防止機構１０００の当接面１００８は、スペーサー５４０の下端面５４８と、延長スリーブ４２０の下端面ｂ２とに当接する。ゴルフクラブ１１０ｂでは、逆テーパー係合部ＲＴの下端面ＲＴ１は、下端面５４８と下端面ｂ２とによって構成されている。この下端面ＲＴ１（下端面５４８及び下端面ｂ２）に、当接面１００８が当接する。
【０１３７】
ゴルフクラブ１１０ｃ（図１０（ｃ）参照）において、脱落防止機構１０００の当接面１００８は、スペーサー５７０の下端面５７８と、延長スリーブ４３０の下端面ｂ３とに当接する。ゴルフクラブ１１０ｃでは、逆テーパー係合部ＲＴの下端面ＲＴ１は、下端面５７８と下端面ｂ３とによって構成されている。この下端面ＲＴ１（下端面５７８及び下端面ｂ３）に、当接面１００８が当接する。
【０１３８】
このように、脱落防止機構１０００は、スリーブ（延長スリーブを含む）及びスペーサーに当接するので、逆テーパー係合部の係合解除方向への移動が規制される。この結果、逆テーパー係合部の脱落が防止される。即ち、シャフト３００の脱落が防止される。
【０１３９】
板バネ１００６を押圧すると、板バネ１００６は、突出高さＨｔが少なくなるように退行する。この退行により、当接面１００８はヘッド２５０の内部に収容され、当接面１００８は逆テーパー係合部の端面と当接できない状態となる。この状態では、逆テーパー係合部を係合解除方向に移動することが可能である。よって、シャフト３００をヘッド２５０から取り外すことができる。
【０１４０】
前述した第４ステップ（図４参照）において、逆テーパー係合部は、板バネ１００６を押圧しながら逆テーパー孔２０５に向かって移動する。押圧された板バネ１００６は退行し、逆テーパー係合部の上記移動を許容する。逆テーパー係合部が逆テーパー孔２０５と当接（係合）する位置にまで達したとき、逆テーパー係合部による板バネ１００６の押圧は無くなり、板バネ１００６が突出する。この結果、当接面１００８が逆テーパー係合部ＲＴの下端面ＲＴ１に当接し、脱落防止機構１０００がその機能を発揮する。
【０１４１】
脱落防止機構１０００の機能を解除するときは、外力によって板バネ１００６を押圧し、当接面１００８と下端面ＲＴ１との当接を解除する。外力は、例えば，人間の指によって付与される。
【０１４２】
図１７は、変形例に係る脱落防止機構１１００の断面図である。上記脱落防止機構１０００と同様に、この脱落防止機構１１００は、突出及び退行が可能な状態で突出方向に付勢された弾性突出部１１０２を有する。弾性突出部１１０２は、圧縮バネ１１０４とスライド部材１１０６とスライド孔１１０８とを有する。スライド部材１１０６は、例えば、円柱部材とされる。スライド孔１１０８は、例えば、円形孔とされる。
【０１４３】
圧縮バネ１１０４は、スライド部材１１０６を突出方向に付勢している。外力が作用しない自然状態において、スライド部材１１０６は、下端面ＲＴ１と当接する位置にある。図１７は、この自然状態を示す。スライド部材１１０６を押圧すると、スライド部材１１０６は、突出高さＨｔが小さくなるように退行する。この退行により、スライド部材１１０６と下端面ＲＴ１との係合が解除される。このように、脱落防止機構１１００の機能は、前述の脱落防止機構１０００と同様である。
【０１４４】
他の脱落防止機構として、例えば、取り外し可能に取り付けられる着脱部材が挙げられる。この着脱部材は、係合状態のゴルフクラブヘッドの、下端面ＲＴ１に当接する位置に取り付けられる。このような着脱部材を含む着脱機構として、例えば、特開２０１３−１２３４３９号公報に記載の着脱機構が挙げられる。この公報における重量体が、上記着脱部材に応用されうる。例えば、装着状態（係合ポジション）にある着脱部材がヘッド本体から突出し、この突出部分が下端面ＲＴ１に当接する構成が採用されうる。また、他の着脱部材として、ネジ部材が挙げられる。
【０１４５】
図１８は、ネジ部材を用いた脱落防止機構の一例を示す。この脱落防止機構１２００は、ネジ部材１２０２と、ネジ穴１２０４とを有する。ネジ穴１２０４は、延在面２２４に設けられている。ネジ部材１２０２は、頭部１２０６とネジ部１２０８とを有する。頭部１２０６の側面１２１０は、テーパー面を有する。このテーパー面１２１０は、円錐面（円錐凸面）である。このテーパー面１２１０は、ネジ部１２０８と同軸である。このテーパー面１２１０の外径は、ネジ部１２０８に近づくにつれて小さくなっている。
【０１４６】
図１８が示すように、逆テーパー係合部ＲＴの下端面ＲＴ１は、このテーパー面１２１０に線接触しうる傾斜面を有する。
【０１４７】
ネジ部１２０８がネジ穴１２０４にねじ込まれた状態で、下端面ＲＴ１の上記傾斜面は、テーパー面１２１０と線接触する。ネジ部１２０８のねじ込み量によってテーパー面１２１０が移動し、この移動に起因して、テーパー面１２１０と下端面ＲＴ１との接触位置がシャフト軸方向に移動する。この脱落防止機構１２００では、ネジ部材１２０２のねじ込み量によって、下端面ＲＴ１とネジ部材１２０２との接触位置を微調整することができる。
【０１４８】
なお、下端面ＲＴ１とネジ部材とが面接触してもよい。例えば、上記ネジ部材１２０２において、ネジ部１２０８が頭部１２０６に対して回転可能に支持されている構成を採用することができる。例えば、頭部１２０６がネジ部１２０８を有するネジ軸体と貫通孔とを有しており、このネジ軸体の一部が前記貫通孔に内包されていてもよい。このネジ部材では、頭部１２０６を回転させることなくネジ部１２０８のみを回転させることができる。例えば、頭部１２０６の側面１２１０を角錐面（四角錐面）とすることにより、下端面ＲＴ１とネジ部材とが面接触が可能となる。
【０１４９】
図１９は、第３実施形態に係るヘッド２６０の斜視図である。後述される延長スリーブポートの存在を除き、ヘッド２６０は、前述したヘッド２００と同じである。
【０１５０】
ヘッド２６０は、逆テーパー孔２０５の下端に位置する下方開口２２０と、この下方開口２２０から軸垂直方向に延在する開口底面２２２と、この開口底面からソール側に延在する延在面２２４とを有する。
【０１５１】
ヘッド２６０は、延長スリーブポート２６２を有する。延長スリーブポート２６２は、ソール２１０に設けられている。延長スリーブポート２６２は、凹部である。延長スリーブポート２６２は、シャフト軸線よりもトウ側に位置する。延長スリーブポート２６２は、フェース中心よりもトウ側に位置する。フェース中心とは、平面視におけるフェース面の図心である。
【０１５２】
図２０（ａ）及び図２０（ｂ）は、ヘッド２６０を有するゴルフクラブ１２０の断面図である。図２０（ａ）は、クラブが短い状態のゴルフクラブ１２０ａを示す。図２０（ｂ）は、クラブが長い状態のゴルフクラブ１２０ｂを示す。
【０１５３】
図２０（ａ）に示されるゴルフクラブ１２０ａは、延長スリーブ４４０を有する。この延長スリーブ４４０の存在を除き、ゴルフクラブ１２０ａは、ゴルフクラブ１１０ａ（図１０（ａ））と同じである。延長スリーブ４４０が、スリーブ４１０の後端部に取り付けられている。なお、この延長スリーブ４４０は、スペーサー５１０との接触面積を増やすことに貢献していないが、後述される重量調整の役割を果たす。また、ゴルフクラブ１１０ａと異なり、ゴルフクラブ１２０ａでは、延長スリーブ４４０の後端面が設置面２２２から突出している。
【０１５４】
図２０（ｂ）に示されるゴルフクラブ１２０ｂは、延長スリーブ４５０を有する。延長スリーブ４２０が延長スリーブ４５０に置換された点を除き、ゴルフクラブ１２０ｂは、ゴルフクラブ１１０ｂ（図１０（ｂ））と同じである。延長スリーブ４５０が、スリーブ４１０の後端部に取り付けられている。
【０１５５】
延長スリーブ４５０（第２の延長スリーブ）は、延長スリーブ４４０（第１の延長スリーブ）よりも長い。ここにいう長さは、軸方向長さを意味する。延長スリーブ４５０（第２の延長スリーブ）は、延長スリーブ４４０（第１の延長スリーブ）よりも重い。
【０１５６】
延長スリーブポート２６２には、延長スリーブ４４０を取り付けることができる。延長スリーブポート２６２には、延長スリーブ４５０を取り付けることができる。延長スリーブポート２６２には、全ての延長スリーブ４４０，４５０が取り付け可能である。延長スリーブポート２６２には、第１の延長スリーブ４４０及び第２の延長スリーブ４５０が択一的に取り付けられうる。「択一的に」とは、いずれか１つの延長スリーブが取り付けられうることを意味する。
【０１５７】
延長スリーブポート２６２は、全ての延長スリーブ４４０，４５０を完全に収容する。延長スリーブポート２６２は、最も長い延長スリーブ４５０をも完全に収容する。「完全に収容する」とは、延長スリーブポート２６２に取り付けられた延長スリーブがソール２１０の外面よりも外側に突出しないことを意味する。よって、ソールに取り付けられた延長スリーブが接地抵抗を増加させるといった不都合は生じない。
【０１５８】
図１９の拡大部は、延長スリーブポート２６２の断面図である。延長スリーブポート２６２は、側面２６４と底部２６６とを有する。底部２６６は、ネジ穴２６８を有する。ネジ穴２６８は、スリーブ４１０のネジ穴４１６と同じである。側面２６４は、四角錐面である。延長スリーブポート２６２の内面の形状は、延長スリーブ４４０及び延長スリーブ４５０の外形に対応している。
【０１５９】
延長スリーブ４４０は、図示されないネジ（共通ネジと称する）を用いて、延長スリーブポート２６２に固定されうる。この共通ネジは、延長スリーブ４４０（及び延長スリーブ４５０）をスリーブ４１０に取り付けるネジでもある。更に、延長スリーブ４５０は、上記共通ネジを用いて、延長スリーブポート２６２に固定されうる。
【０１６０】
このように、ゴルフクラブ１２０は、複数（２つ）の延長スリーブ４４０、４５０を有する。延長スリーブ４４０（第１の延長スリーブ）は、クラブが短い状態に対応している。延長スリーブ４５０（第２の延長スリーブ）は、クラブが長い状態に対応している。このゴルフクラブ１２０は、以下の（状態ａ）及び（状態ｂ）を採ることができる。
（状態ａ）クラブが短い状態（ゴルフクラブ１２０ａ）において、延長スリーブ４４０（第１の延長スリーブ）がスリーブ４１０に取り付けられ、延長スリーブ４５０（第２の延長スリーブ）がヘッド２６０の延長スリーブポート２６２に取り付けられる。
（状態ｂ）クラブが長い状態（ゴルフクラブ１２０ｂ）において、延長スリーブ４５０（第２の延長スリーブ）がスリーブ４１０に取り付けられ、延長スリーブ４４０（第１の延長スリーブ）がヘッド２６０の延長スリーブポート２６２に取り付けられる。
【０１６１】
一般に、クラブが長いと、フェースが返りにくい傾向にある。フェースが充分に返らない場合、インパクトでフェースが開き、打球がスライスとなる。
【０１６２】
また、一般に、重心距離が大きいと、フェースが返りにくい傾向にある。なお、重心距離とは、ヘッド重心とシャフト軸線との間の距離である。
【０１６３】
上記状態ａのゴルフクラブ１２０ａと上記状態ｂのゴルフクラブ１２０ｂとを比較すると、クラブ長さは状態ｂのほうが大きい。一方、重心距離は、状態ａのほうが大きい。なぜなら、延長スリーブ４５０（第２の延長スリーブ）が延長スリーブ４４０（第１の延長スリーブ）よりも重く、且つ、延長スリーブポート２６２がシャフト軸線から離れているからである。
【０１６４】
このように、上記状態ａでは、重心距離は長いがクラブは短い、一方、上記状態ｂでは、クラブは長いが重心距離は短い。このため、状態ａと状態ｂとで、フェースの返り度合いの差が少ない。つまり、クラブ長さと重心距離との相殺により、フェースの返り度合いの差が抑制されている。ゴルフクラブ１２０は、フェースターン均等効果を奏する。このフェースターン均等効果とは、クラブが長い状態と短い状態との間で、フェースの返り度合いの差異が少ないことを意味する。
【０１６５】
したがって、ゴルフクラブ１２０では、クラブ長さを変えることによる打球方向のバラツキが抑制される。例えば、クラブ長さを「短」から「長」に切り替えた場合であっても、フェースが返りにくくなることが抑制される。また、クラブ長さを「長」から「短」に切り替えた場合であっても、フェースが過度に返ることが抑制される。
【０１６６】
延長スリーブポート２６２は、１つであってもよいし、２つ以上であってもよい。全ての延長スリーブがクラブに固定されうるとの観点から、延長スリーブポート２６２の数は、（Ｎ４−１）以上であるのが好ましい。延長スリーブポート２６２の数を最小限とする観点からは、延長スリーブポート２６２の数は（Ｎ４−１）であるのが好ましい。なお、Ｎ４とは、上述の通り、延長スリーブの数を意味する。
【０１６７】
本願では、係合解除方向及び係合方向が定義される。本願において係合解除方向とは、軸方向に沿った方向であり、逆テーパー係合部ＲＴが逆テーパー孔２０５に対してソール側に移動する方向を意味する。換言すれば、係合解除方向とは、逆テーパー孔２０５が逆テーパー係合部ＲＴに対してグリップ側に移動する方向を意味する。逆テーパー係合部ＲＴが係合解除方向に移動すると、逆テーパー係合部ＲＴは逆テーパー孔２０５から抜ける。一方、本願において係合方向とは、軸方向に沿った方向であり、逆テーパー係合部ＲＴが逆テーパー孔２０５に対してグリップ側に移動する方向を意味する。換言すれば、係合方向とは、逆テーパー孔２０５が逆テーパー係合部ＲＴに対してソール側に移動する方向を意味する。
【０１６８】
係合状態のゴルフクラブでは、逆テーパー係合部ＲＴと逆テーパー孔２０５との間で逆テーパー嵌合が形成されている。係合方向の力は、この逆テーパー嵌合を解除することはできず、逆にこの逆テーパー嵌合の接触圧力を高める。係合方向の力は、逆テーパー係合部ＲＴと逆テーパー孔２０５との係合をより一層確実とする。
【０１６９】
また、係合方向の力は、スリーブとスペーサーとの接触圧力を高める。係合方向の力は、スリーブとスペーサーとの係合をより一層確実とする。
【０１７０】
ゴルフクラブのヘッドに作用する大きな力は、スイング中の遠心力、及び、インパクトでの衝撃力である。これらのうち、遠心力は、上述した係合方向の力である。また、ヘッドのロフト角に起因して、上記衝撃力の軸方向における分力も、係合方向の力である。よって、遠心力及び衝撃力は、逆テーパー係合部ＲＴと逆テーパー孔２０５との係合を解除することはできず、逆にこの係合をより一層確実とする。また、逆テーパー係合部ＲＴ及び逆テーパー孔２０５は、断面形状が非円形であることから、両者の間で相対回転が生じることはない。結果として、逆テーパー係合部ＲＴと逆テーパー孔２０５の間が接着剤等で固定されていないにも関わらず、ゴルフクラブとして必要な抜け止め及び回り止めが達成される。この逆テーパー嵌合の構造は、固定力と着脱容易性とを両立しうる。
【０１７１】
一方、スイング以外の場面では、ゴルフクラブ１００に係合解除方向の力が作用する場合がある。例えば、ゴルフクラブがゴルフバックに差し込まれている状態である。この状態では、ゴルフクラブは、ヘッドを上側にして立てられている。この場合、ヘッドに作用する重力は、上記係合解除方向の力として作用する。また、アドレスでヘッドを地面に置いたときも、係合解除方向の力が生じうる。脱落防止機構の存在により、この係合解除方向の力が作用しても、ヘッドは脱落しない。
【０１７２】
遠心力、衝撃力等に起因する係合方向の力に比べて、この係合解除方向の力は小さい。よって、脱落防止機構には、大きな力は作用しない。脱落防止機構は、簡易的な機構でよい。
【０１７３】
なお、ゴルフルールの観点からは、上記脱落防止機構は、素手で解除できないように構成されるのが好ましい。この構成は、例えば、上記板バネ１００６及び上記圧縮バネ１１０４のばね定数を大きくすることで達成される。ゴルフルールの観点から、上記脱落防止機構には、専用の工具が必要とされるのが好ましい。
【０１７４】
スリーブは、それ自身の軸線回りに回転されうる。この回転によって、スリーブの回転位置が変化する。係合状態において、スリーブは、複数の回転位置を採ることができる。採りうる回転位置の数は、スリーブの外面の形状に基づいて定まる。
【０１７５】
スペーサーは、それ自身の軸線回りに回転されうる。この回転によって、スペーサーの回転位置が変化する。係合状態において、スペーサーは、複数の回転位置を採ることができる。採りうる回転位置の数は、スペーサーの外面の形状に基づいて定まる。
【０１７６】
シャフト孔の軸線Ｚ１（シャフトの軸線）は、スリーブの外面の軸線に対してズラすことができる。これらの軸線は、互いに傾斜していてもよいし、互いに平行でズレていてもよいし（平行偏心）、傾斜と偏心とが組み合わされてもよい。この場合、スリーブの回転位置によって、シャフトの軸線の方向及び／又は位置が変化しうる。この変化により、ロフト角、ライ角、フェース角（フック角）、フェースプログレッション等が調整されうる。なお、上述した各実施形態では、シャフト孔の軸線Ｚ１（シャフトの軸線）は、スリーブの外面の軸線に一致している（図５（ａ）から（ｃ）及び図１０（ａ）から（ｃ）参照）。
【０１７７】
スペーサーの内面の軸線Ｚ２は、スペーサーの外面の軸線に対してズラすことができる。これらの軸線は、互いに傾斜していてもよいし、互いに平行でズレていてもよいし（平行偏心）、傾斜と偏心とが組み合わされてもよい。この場合、スペーサーの回転位置によって、シャフトの軸線の方向及び／又は位置が変化しうる。この変化により、ロフト角、ライ角、フェース角（フック角）、フェースプログレッション等が調整されうる。なお、上述した各実施形態では、スペーサーの内面の軸線Ｚ２は、スペーサーの外面の軸線に一致している（図５（ａ）から（ｃ）及び図１０（ａ）から（ｃ）参照）。
【０１７８】
ホーゼル孔の逆テーパー孔の断面積は、下方（ソール側）にいくほど徐々に大きくなっている。逆テーパー孔の断面形状は、非円形である。非円形の断面形状は、ホーゼル孔と逆テーパー係合部との間の相対回転を防止する。非円形は、円形以外のあらゆる形状を含む。例えば、円の周方向における少なくとも１箇所に凸部、凹部又は平坦部を有する形状であってもよい。好ましくは、逆テーパー孔の断面形状は、多角形である。この多角形として、三角形、四角形、五角形、六角形、七角形、八角形及び十二角形が例示される。好ましくは、Ｎが偶数のＮ角形であり、例えば、四角形、六角形、八角形及び十二角形が挙げられる。回転止めの観点から、四角形、六角形及び八角形が好ましい。より好ましくは、逆テーパー孔の断面形状は、正多角形である。好ましい正多角形として、正三角形、正四角形（正方形）、正五角形、正六角形、正七角形、正八角形及び正十二角形が挙げられる。より好ましくは、Ｎが偶数の正Ｎ角形であり、例えば、正四角形（正方形）、正六角形、正八角形及び正十二角形が挙げられる。回転止めの観点から、正四角形、正六角形及び正八角形がより好ましい。
【０１７９】
逆テーパー孔は、好ましくは、複数の面から構成される。これらの面のそれぞれは、平面であってもよいし、曲面であってもよい。逆テーパー係合部との面接触を確実とする観点から、好ましくは、これらの面のそれぞれは、平面とされる。逆テーパー係合部との面接触を確実とする観点から、逆テーパー孔は、角錐面とされるのが好ましい。角錐面とは、角錐の外面の一部である。この角錐面として、三角錐面、四角錐面、五角錐面、六角錐面、七角錐面、八角錐面及び十二角錐面が例示される。Ｎが偶数のＮ角錐面がより好ましく、例えば、四角錐面、六角錐面、八角錐面及び十二角錐面である。回転止めの観点から、四角錐面、六角錐面及び八角錐面がより好ましい。
【０１８０】
上記ゴルフクラブはスリーブを有する。スリーブの内面（シャフト孔）は、当該スリーブに挿入されるシャフトの先端部と同じ形状を有する。通常、このシャフト孔の断面形状は円形である。典型的には、スリーブの内面（シャフト孔）とシャフトの外面とが接着剤によって接着される。
【０１８１】
スリーブの外面の断面線により構成される図形の面積は、下方（ソール側）にいくほど徐々に大きくなっている。スリーブの外面の断面形状は、非円形である。非円形の断面形状は、スリーブと当接部分との相対回転を防止する。この当接部分とは、スペーサーの内面又は逆テーパー孔である。スペーサーが複数である場合、この当接部分とは、最も内側のスペーサーの内面である。非円形は、円形以外のあらゆる形状を含む。例えば、円の周方向における少なくとも１箇所に凸部、凹部又は平坦部を有する形状であってもよい。好ましくは、スリーブの外面の断面形状は、多角形である。この多角形として、三角形、四角形、五角形、六角形、七角形、八角形及び十二角形が例示される。好ましくはＮが偶数のＮ角形であり、例えば、四角形、六角形、八角形及び十二角形が挙げられる。回転止めの観点から、四角形、六角形及び八角形が好ましい。より好ましくは、スリーブの外面の断面形状は、正多角形である。好ましい正多角形として、正三角形、正四角形（正方形）、正五角形、正六角形、正七角形、正八角形及び正十二角形が挙げられる。より好ましくは、Ｎが偶数の正Ｎ角形であり、例えば、正四角形（正方形）、正六角形、正八角形及び正十二角形が挙げられる。回転止めの観点から、正四角形、正六角形及び正八角形がより好ましい。
【０１８２】
スリーブの外面は、好ましくは、複数の面から構成される。これらの面のそれぞれは、平面であってもよいし、曲面であってもよい。上記当接部分との面接触を確実とする観点から、好ましくは、これらの面のそれぞれは、平面とされる。上記当接部分との面接触を確実とする観点から、スリーブの外面は、角錐面とされるのが好ましい。この角錐面として、三角錐面、四角錐面、五角錐面、六角錐面、七角錐面、八角錐面及び十二角錐面が例示される。Ｎが偶数のＮ角錐面がより好ましく、例えば、四角錐面、六角錐面、八角錐面及び十二角錐面である。回転止めの観点から、四角錐面、六角錐面及び八角錐面がより好ましい。
【０１８３】
上記ゴルフクラブは１以上のスペーサーを有する。スペーサーの内面は、当該スペーサーの内側にはめ込まれる部材（内側部材）の外面と同じ形状を有する。この内側部材とは、スリーブ又は他のスペーサーである。
【０１８４】
スペーサーの内面の断面線により構成される図形の面積は、下方（ソール側）にいくほど徐々に大きくなっている。スペーサーの内面の断面形状は、非円形である。非円形の断面形状は、スペーサーと上記内側部材との相対回転を防止する。スペーサーが複数である場合、この内側部材とは、他のスペーサーである。非円形は、円形以外のあらゆる形状を含む。例えば、円の周方向における少なくとも１箇所に凸部、凹部又は平坦部を有する形状であってもよい。好ましくは、スペーサーの内面の断面形状は、多角形である。この多角形として、三角形、四角形、五角形、六角形、七角形、八角形及び十二角形が例示される。好ましくはＮが偶数のＮ角形であり、例えば、四角形、六角形、八角形及び十二角形が挙げられる。回転止めの観点から、四角形、六角形及び八角形が好ましい。より好ましくは、スペーサーの内面の断面形状は、正多角形である。好ましい正多角形として、正三角形、正四角形（正方形）、正五角形、正六角形、正七角形、正八角形及び正十二角形が挙げられる。より好ましくは、Ｎが偶数の正Ｎ角形であり、例えば、正四角形（正方形）、正六角形、正八角形及び正十二角形が挙げられる。回転止めの観点から、正四角形、正六角形及び正八角形がより好ましい。
【０１８５】
スペーサーの内面は、好ましくは、複数の面から構成される。これらの面のそれぞれは、平面であってもよいし、曲面であってもよい。上記内側部材との面接触を確実とする観点から、好ましくは、これらの面のそれぞれは、平面とされる。上記内側部材との面接触を確実とする観点から、スペーサーの内面は、角錐面とされるのが好ましい。この角錐面として、三角錐面、四角錐面、五角錐面、六角錐面、七角錐面、八角錐面及び十二角錐面が例示される。Ｎが偶数のＮ角錐面がより好ましく、例えば、四角錐面、六角錐面、八角錐面及び十二角錐面である。回転止めの観点から、四角錐面、六角錐面及び八角錐面がより好ましい。
【０１８６】
上述の通り、本発明のクラブは、逆テーパー係合部を有する。逆テーパー係合部は、スリーブと１以上のスペーサーとから構成されている。１個のスペーサーが用いられている場合、逆テーパー係合部の外面はそのスペーサーの外面である。２個以上のスペーサーが用いられている場合、逆テーパー係合部の外面は、最も外側のスペーサーの外面である。
【０１８７】
逆テーパー係合部の外面の断面線により構成される図形の面積は、下方（ソール側）にいくほど徐々に大きくなっている。逆テーパー係合部の外面の断面形状は、非円形である。非円形の断面形状は、逆テーパー係合部と逆テーパー孔との相対回転を防止する。非円形は、円形以外のあらゆる形状を含む。例えば、円の周方向における少なくとも１箇所に凸部、凹部又は平坦部を有する形状であってもよい。好ましくは、逆テーパー係合部の外面の断面形状は、多角形である。この多角形として、三角形、四角形、五角形、六角形、七角形、八角形及び十二角形が例示される。好ましくはＮが偶数のＮ角形であり、例えば、四角形、六角形、八角形及び十二角形が挙げられる。回転止めの観点から、四角形、六角形及び八角形が好ましい。より好ましくは、逆テーパー係合部の外面の断面形状は、正多角形である。好ましい正多角形として、正三角形、正四角形（正方形）、正五角形、正六角形、正七角形、正八角形及び正十二角形が挙げられる。より好ましくは、Ｎが偶数の正Ｎ角形であり、例えば、正四角形（正方形）、正六角形、正八角形及び正十二角形が挙げられる。回転止めの観点から、正四角形、正六角形及び正八角形がより好ましい。
【０１８８】
逆テーパー係合部の外面は、好ましくは、複数の面から構成される。これらの面のそれぞれは、平面であってもよいし、曲面であってもよい。逆テーパー孔との面接触を確実とする観点から、好ましくは、これらの面のそれぞれは、平面とされる。逆テーパー孔との面接触を確実とする観点から、逆テーパー係合部の外面は、角錐面とされるのが好ましい。この角錐面として、三角錐面、四角錐面、五角錐面、六角錐面、七角錐面、八角錐面及び十二角錐面が例示される。Ｎが偶数のＮ角錐面がより好ましく、例えば、四角錐面、六角錐面、八角錐面及び十二角錐面である。回転止めの観点から、四角錐面、六角錐面及び八角錐面がより好ましい。
【０１８９】
なお、上述したＮのぞれぞれは、３以上の整数であるのが好ましい。
【０１９０】
このように、スリーブとスペーサーとで逆テーパー嵌合が形成されると同時に、スペーサーと逆テーパー孔とで逆テーパー嵌合が形成されている。係合解除方向の力により、これらの逆テーパー嵌合の解除は容易である。同時に、係合方向の力により、これらの逆テーパー嵌合の形成は容易である。ヘッドに対するシャフトの取り付け及び取り外しは容易である。この取り付け及び取り外しにおいて、ネジを回す作業は不要である。よって、当該ネジの紛失という心配もない。
【０１９１】
スリーブの材質は限定されない。好ましい材質として、チタン合金、ステンレス鋼、アルミニウム合金、マグネシウム合金及び樹脂が例示される。強度及び軽量性の観点から、例えばアルミニウム合金及びチタン合金がより好ましい。樹脂としては、機械的強度に優れたものが好ましく、例えば、エンジニアリングプラスチック又はスーパーエンジニアリングプラスチックと称されている樹脂が好ましい。
【０１９２】
スペーサーの材質は限定されない。好ましい材質として、チタン合金、ステンレス鋼、アルミニウム合金、マグネシウム合金及び樹脂が例示される。強度及び軽量性の観点から、例えばアルミニウム合金及びチタン合金がより好ましい。樹脂としては、機械的強度に優れたものが好ましく、例えば、エンジニアリングプラスチック又はスーパーエンジニアリングプラスチックと称されている樹脂が好ましい。成形性の観点からは、樹脂が好ましい。
【０１９３】
上述の通り、上記ゴルフクラブは、クラブ長さの調節機構を有する。この調節機構は、Ｒ＆Ａ（Ｒｏｙａｌ  ａｎｄ  Ａｎｃｉｅｎｔ  Ｇｏｌｆ  Ｃｌｕｂ  ｏｆ  Ｓａｉｎｔ  Ａｎｄｒｅｗｓ；全英ゴルフ協会）が定めるゴルフ規則を満たしているのが好ましい。即ち、この調節機構は、Ｒ＆Ａが定める、「付属規則II  クラブのデザイン」の「１  クラブ」における「１ｂ  調節性」で規定される要件を満たしているのが好ましい。この「１ｂ  調節性」が規定する要件は、下記の（ｉ）、（ii）及び（iii）である。
（ｉ）容易に調節できるものでないこと。
（ii）調節可能部分はすべてしっかりと固定され、ラウンド中に緩むことの合理的な可能性がないこと。
（iii）調節後のすべての形状が規則に適合すること。
【実施例】
【０１９４】
以下、実施例によって本発明の効果が明らかにされるが、この実施例の記載に基づいて本発明が限定的に解釈されるべきではない。
【０１９５】
実施例として、上述のゴルフクラブ１００と同じゴルフクラブが作製された。ただし、スペーサーは、図７に示されるスペーサー８００とされた。
【０１９６】
公知の方法で、チタン合金製のヘッドを得た。逆テーパー孔は、鋳造によって形成された後、ＮＣ加工によって所定の寸法に仕上げられた。スリーブの材質は、アルミニウム合金とされた。スリーブの製法は、ＮＣ加工であった。
【０１９７】
スペーサーは、図７及び図８に示されるスペーサー８００と同じものとされた。スペーサー本体の材質は、アルミニウム合金とされた。スペーサー本体の製法は、ＮＣ加工であった。連結部８３０の材質は、バネ鋼とされた。図５（ａ）から（ｃ）に示されるように、長さＬ及び肉厚Ｔが相違する３つのスペーサーが作成された。
【０１９８】
シャフトとして、公知のカーボンシャフトが用いられた。このシャフトを上記スペーサーに通した後、このシャフトの先端部に上記スリーブを接着剤で固定して、シャフトアッセンブリを得た。
【０１９９】
図４で説明した手順に従って、上記シャフトアッセンブリを上記ヘッドに装着し、係合状態のゴルフクラブを得た。このゴルフクラブで実際にボールを打ったところ、抜け止め及び回り止めが完全に機能し、通常のゴルフクラブと同様の打撃が得られた。スペーサーを交換することにより、シャフト長さを３段階に調整することができた（図５（ａ）から（ｃ）参照）。
【産業上の利用可能性】
【０２００】
以上説明された発明は、ウッド型、ハイブリッド型、アイアン型、パターなど、あらゆるゴルフクラブに適用されうる。
【符号の説明】
【０２０１】
１００・・・ゴルフクラブ
１００ｋ・・・ゴルフクラブキット
２００・・・ヘッド
２０２・・・ホーゼル部
２０４・・・ホーゼル孔
２０５・・・逆テーパー孔
２０６・・・ホーゼルスリット
２５０・・・ヘッド
３００・・・シャフト
４００、４１０・・・スリーブ
４２０、４３０・・・延長スリーブ
５００、５１０・・・（第１の）スペーサー
５３０、５４０・・・（第２の）スペーサー
５６０、５７０・・・（第３の）スペーサー
７００・・・シャフトアッセンブリ
８００、９００・・・スペーサー
１０００、１１００・・・脱落防止機構
ＲＴ・・・逆テーパー係合部
【図１】
2018068848.tif 000003
【図２】
2018068848.tif 000004
【図３】
2018068848.tif 000005
【図４】
2018068848.tif 000006
【図５】
2018068848.tif 000007
【図６】
2018068848.tif 000008
【図７】
2018068848.tif 000009
【図８】
2018068848.tif 000010
【図９】
2018068848.tif 000011
【図１０】
2018068848.tif 000012
【図１１】
2018068848.tif 000013
【図１２】
2018068848.tif 000014
【図１３】
2018068848.tif 000015
【図１４】
2018068848.tif 000016
【図１５】
2018068848.tif 000017
【図１６】
2018068848.tif 000018
【図１７】
2018068848.tif 000019
【図１８】
2018068848.tif 000020
【図１９】
2018068848.tif 000021
【図２０】
2018068848.tif 000022